(57)【要約】【課題】アンテナの信号受信レベルを表示でき、測定器やＴＶ受信機などを用いることなくアンテナの方向調整が可能な高周波増幅装置を提供する。【解決手段】高周波増幅装置１２は、ＢＳ・ＣＳアンテナ１１の受信信号をコンバータにより周波数変換し、バンドパスフィルタ１４及び信号レベル調整器１５を介して高周波増幅器１６に入力し、増幅した信号をバンドパスフィルタ１７を介して出力端子１８から出力する。歪み検知回路２０は、高周波増幅器１６で発生する歪み成分をバンドパスフィルタ２１を介して取り出し、検波器２２で検波して直流成分に変換する。信号レベル表示回路２３は、検波器２２の出力信号のレベルに応じて信号レベル表示部２５のＬＥＤ２６ａ〜２６ｅを表示駆動する。アンテナ１１の方向を調整する際は、上記ＬＥＤ２６ａ〜２６ｅの点灯数が最大となるようにアンテナ方向を調整する。【選択図】    図１
2005159671.tif 000002
【特許請求の範囲】
【請求項１】
ＴＶ放送受信用アンテナにより受信されたＴＶ放送信号を増幅する増幅器と、前記増幅器により増幅されたＴＶ放送信号を選択して出力する第１のフィルタと、前記増幅器において発生する歪み成分を選択して取り出す第２のフィルタと、前記第２のフィルタにより選択された歪み成分を検波して直流成分に変換する検波器と、前記検波器の出力信号のレベルに応じて動作する信号レベル表示回路と、前記信号レベル表示回路により駆動される信号レベル表示部とを具備したことを特徴とする高周波増幅装置。
【請求項２】
地上波デジタル放送受信用アンテナにより受信されたデジタル放送信号を増幅する増幅器と、前記増幅器により増幅されたデジタル放送信号を選択して出力する第１のフィルタと、前記増幅器において発生する歪み成分を選択して取り出す第２のフィルタと、前記第２のフィルタにより選択された歪み成分から４．５ＭＨｚの歪み成分を除去するトラップと、前記トラップの出力信号を検波して直流成分に変換する検波器と、前記検波器の出力信号のレベルに応じて動作する信号レベル表示回路と、前記信号レベル表示回路により駆動される信号レベル表示部とを具備したことを特徴とする高周波増幅装置。
【発明の詳細な説明】
【技術分野】
【０００１】
本発明は、アンテナにより受信した信号のレベルを表示する機能を備えた高周波増幅装置に関する。
【背景技術】
【０００２】
一般家庭等において、ＴＶ（テレビ）放送受信用のアンテナを設置し、その方向を調整する場合、従来では図７に示すようにして行なっている。図７は、衛星放送受信用のＣＳ・ＢＳアンテナ１を住宅２の屋上に設置した支柱３に取付けて、その方向を調整する場合の例について示したものである。一般的には、ＣＳ・ＢＳアンテナ１の信号受信レベルを計測する測定器（チェッカ）を使用するが、測定器が無い場合には、ＢＳチューナ４及び小型ＴＶ受信機５を屋上に置き、作業者が実際の画像を見ながら受信状態が最良となるようにＣＳ・ＢＳアンテナ１の方向を調整している。
【０００３】
また、地上波デジタル放送を受信するＵＨＦアンテナを屋上に設置して、その方向を調整する場合には、図示しないが上記ＣＳ・ＢＳアンテナ１の場合と同様に、測定器あるいはデジタルチューナとＴＶ受信機を屋上に置き、作業者が実際の画像を見ながら受信状態が最良となるようにＵＨＦアンテナの方向を調整している。
【０００４】
また、従来では、アンテナにより受信した信号のレベルが低い場合、高周波増幅装置（ブースタ）を屋上に設置して受信信号を増幅し、同軸ケーブルにより室内に設置されているＴＶ受信機に伝送するようにしているが（例えば、特許文献１参照。）、高周波増幅装置を利用してアンテナの受信レベルを検出し、表示するようにしたものは未だ実用化されていない。
【特許文献１】特許第３２３９１０５号明細書
【発明の開示】
【発明が解決しようとする課題】
【０００５】
上記のように従来では、測定器やＴＶ受信機を使用し、アンテナの受信状態を確認しながらアンテナの方向を調整している。  
しかし、アンテナの設置場所は、一般的に屋根の上や高所などが多く、足場が悪いため、方向を調整する作業は危険で困難な場合が多い。
【０００６】
本発明は上記の課題を解決するためになされたもので、アンテナの信号受信レベルを表示することができ、測定器やＴＶ受信機などを用いることなくアンテナの方向調整を確実かつ容易に行なうことができる高周波増幅装置を提供することを目的とする。
【課題を解決するための手段】
【０００７】
第１の発明に係る高周波増幅装置は、ＴＶ放送受信用アンテナにより受信されたＴＶ放送信号を増幅する増幅器と、前記増幅器により増幅されたＴＶ放送信号を選択して出力する第１のフィルタと、前記増幅器において発生する歪み成分を選択して取り出す第２のフィルタと、前記第２のフィルタにより選択された歪み成分を検波して直流成分に変換する検波器と、前記検波器の出力信号のレベルに応じて動作する信号レベル表示回路と、前記信号レベル表示回路により駆動される信号レベル表示部とを具備したことを特徴とする。
【０００８】
第２の発明に係る高周波増幅装置は、地上波デジタル放送受信用アンテナにより受信されたデジタル放送信号を増幅する増幅器と、前記増幅器により増幅されたデジタル放送信号を選択して出力する第１のフィルタと、前記増幅器において発生する歪み成分を選択して取り出す第２のフィルタと、前記第２のフィルタにより選択された歪み成分から４．５ＭＨｚの歪み成分を除去するトラップと、前記トラップの出力信号を検波して直流成分に変換する検波器と、前記検波器の出力信号のレベルに応じて動作する信号レベル表示回路と、前記信号レベル表示回路により駆動される信号レベル表示部とを具備したことを特徴とする。
【発明の効果】
【０００９】
本発明に係る高周波増幅装置は、ＴＶ放送受信用アンテナで受信した信号を高周波増幅器で増幅してＴＶ受信機に送出すると共に、上記高周波増幅器で発生する歪み成分を検出し、その歪み成分のレベルを信号レベル表示部で表示するようにしているので、上記信号レベル表示部の表示状態を確認しながらアンテナの方向を調整することが可能となり、測定器やＴＶ受信機を使用する必要が無く、住宅の屋根の上や高所であっても、アンテナの方向をきわめて容易に、かつ正確に調整でき、作業効率を向上することができる。
【発明を実施するための最良の形態】
【００１０】
以下、図面を参照して本発明の実施形態を説明する。  
（第１実施形態）
図１は、本発明の第１一実施形態に係る衛星放送受信用アンテナの受信信号を増幅する高周波増幅装置の構成を示すブロック図である。
【００１１】
図１において、１１は衛星放送（ＢＳ・ＣＳ）を受信するパラボラアンテナ等のＢＳ・ＣＳアンテナで、受信したＢＳ・ＣＳ信号をコンバータにより周波数変換し、衛星放送受信使用の高周波増幅装置１２の入力端子１３に入力する。上記入力端子１３に入力されたＢＳ・ＣＳ信号は、例えば９００〜２６００ＭＨｚのバンドパスフィルタ（ＢＰＦ）１４を介して信号レベル調整器１５に入力される。この信号レベル調整器１５は、受信信号のレベルが高い場合に発生する画像妨害を防止するためのもので、例えば手動操作等によってレベル調整が可能である。
【００１２】
上記信号レベル調整器１５でレベル調整された信号は、高周波増幅器（利得増幅器）１６で増幅された後、受信信号の設定帯域例えば９００〜２６００ＭＨｚの周波数の信号を通過させるバンドパスフィルタ（ＢＰＦ）１７を介して出力端子１８より出力され、伝送線路例えば同軸ケーブルによりＴＶ受信機に送られる。
【００１３】
また、上記高周波増幅器１６の出力信号は、歪み検知回路２０へ送られる。この歪み検知回路２０は、設定帯域外例えば３〜４０ＭＨｚの周波数の信号を通過させるバンドパスフィルタ（ＢＰＦ）２１に入力される。このバンドパスフィルタ２１は、高周波増幅器１６で発生した歪み成分を取り出すためのもので、このバンドパスフィルタ２１により取り出された歪み成分は、検波器２２に入力される。この検波器２２は、バンドパスフィルタ２１で分離された歪み成分を検波して直流成分に変換し、信号レベル表示回路２３へ出力する。
【００１４】
上記信号レベル表示回路２３は、例えば５つのコンパレータ２４ａ〜２４ｅからなり、各コンパレータ２４ａ〜２４ｅにおいて順次異なるレベルの信号、例えば３ｄＢずつアップした信号を検出するように設定されており、次段に設けられている例えば５段階表示の信号レベル表示部２５を駆動する。この信号レベル表示部２５は、表示素子として例えば５つのＬＥＤ（Light Emitting Diode：発光ダイオード）２６ａ〜２６ｅを備え、信号レベル表示回路２３のコンパレータ２４ａ〜２４ｅによってそれぞれ表示駆動される。
【００１５】
上記のように構成された高周波増幅装置１２は、図２に示すように例えば住宅２の屋根の上に設置された支柱３に対し、ＣＳ・ＢＳアンテナ１と共に取付ける。そして、ＣＳ・ＢＳアンテナ１のコンバータから出力される信号を同軸ケーブル３１を介して高周波増幅装置１２に入力し、この高周波増幅装置１２で増幅した信号を同軸ケーブル３２により、住宅２内に設置されているＴＶ受信機の衛星放送受信用チューナ（図示せず）に送出する。上記高周波増幅装置１２に対する動作電源は、上記衛星受信用チューナから上記同軸ケーブル３２を介して供給される。
【００１６】
そして、上記ＣＳ・ＢＳアンテナ１の方向調整に際して高周波増幅装置１２を動作させると、図１に示したようにＣＳ・ＢＳアンテナ１のコンバータから出力される衛星受信信号は、入力端子１３よりバンドパスフィルタ１４を介して信号レベル調整器１５に入力され、信号レベルが調整される。この信号レベル調整器１５でレベル調整された信号は、高周波増幅器１６で増幅された後、バンドパスフィルタ１７を介して取り出され、出力端子１８より上記同軸ケーブル３２（図２参照）を介して住宅２内に設置されている衛星放送受信用チューナへ送られる。
【００１７】
上記高周波増幅器１６は、非直線歪によって例えば２波のＴＶ受信信号による３次歪が発生すると共に、３次歪と相関関係にある２次歪が発生する。上記３次歪はＴＶ信号の設定帯域内で発生するが、２次歪はＴＶ信号の設定帯域より低い周波数、例えば４０ＭＨｚ以下の帯域に発生するものがある。
【００１８】
歪み検知回路２０は、上記高周波増幅器１６から出力される信号のうち、４０ＭＨｚ以下の設定帯域外の歪成分例えば２次歪成分をバンドパスフィルタ２１により取り出し、検波器２２で検波して直流成分に変換し、信号レベル表示回路２３に入力する。この信号レベル表示回路２３は、検波器２２で変換された直流成分のレベルをコンパレータ２４ａ〜２４ｅで検出し、信号レベル表示部２５内の対応するＬＥＤ２６ａ〜２６ｅを表示駆動する。例えばＢＳ・ＣＳアンテナ１１により受信された信号のレベルが小さくて、コンパレータ２４ａのみが検波器２２の出力信号を検出した場合には、信号レベル表示部２５のＬＥＤ２６ａだけが点灯する。また、２つのコンパレータ２４ａ、２４ｂが検波器２２の出力信号を検出した場合には、信号レベル表示部２５のＬＥＤ２６ａ、２６ｂが点灯する。以下、同様にして検波器２２の出力信号のレベルに応じて信号レベル表示回路２３内のコンパレータ２４ａ〜２４ｅが動作し、信号レベル表示部２５のＬＥＤ２６ａ〜２６ｅが点灯する。
【００１９】
作業者は、ＬＥＤ２６ａ〜２６ｅの点灯状態を見ながらＣＳ・ＢＳアンテナ１の方向を移動し、ＬＥＤ２６ａ〜２６ｅの点灯数が最も多くなるように調整する。上記ＣＳ・ＢＳアンテナ１の方向を調整し、高周波増幅器１６の入力信号のレベルが変化すると、それに応じて高周波増幅器１６から出力される歪み成分のレベルも変化する。例えば図３（ａ）、（ｂ）に示すように、高周波増幅器１６に加わる信号のレベルがＡ１からＡ２へと１ｄＢアップしたとすると、高周波増幅器１６から出力される歪み成分のレベルはＢ１からＢ２へと３ｄＢアップする。
【００２０】
上記図３は、近接する２つのチャンネルの映像周波数がｆ１、ｆ２で、その歪み成分の周波数が「２×ｆ２−ｆ１」、「２×ｆ１−ｆ２」であることを示している。上記のように高周波増幅器１６では、一般に非直線歪によって、信号の変化に対して歪み成分が約３倍の倍率で変化する。従って、高周波増幅器１６で発生する歪み成分を検出して信号レベル表示部２５のＬＥＤ２６ａ〜２６ｅを表示駆動することにより、ＣＳ・ＢＳアンテナ１の方向調整をより細かく行なうことが可能となる。
【００２１】
作業者は、上記のようにＬＥＤ２６ａ〜２６ｅの点灯状態を見ながらＣＳ・ＢＳアンテナ１の方向を移動し、ＬＥＤ２６ａ〜２６ｅの点灯数が最も多くなった位置でＣＳ・ＢＳアンテナ１の位置を固定する。  
上記高周波増幅装置１２は、ＣＳ・ＢＳアンテナ１の方向を調整した後、そのままブースタとして使用することができる。
【００２２】
上記のように信号レベル表示部２５を備えた高周波増幅装置１２を使用することにより、測定器やＴＶ受信機を使用する必要が無く、住宅２の屋根の上や高所であっても、ＣＳ・ＢＳアンテナ１の方向をきわめて容易に、かつ正確に調整でき、作業効率を向上することができる。
【００２３】
（第２実施形態）
次に本発明の第２実施形態について図４を参照して説明する。  
この第２実施形態は、地上波デジタル放送をＵＨＦアンテナにより受信して増幅する高周波増幅装置について示したものである。  
図４において、４１は地上波デジタル放送を受信するＵＨＦアンテナで、このＵＨＦアンテナ４１で受信された信号を高周波増幅装置４２の入力端子４３に入力する。上記入力端子４３に入力された地上波デジタル信号は、例えば７０〜７７０ＭＨｚのバンドパスフィルタ（ＢＰＦ）４４を介して信号レベル調整器４５に入力される。この信号レベル調整器４５は、受信信号のレベルが高い場合に発生する画像妨害を防止するためのもので、例えば手動操作等によってレベル調整が可能である。
【００２４】
上記信号レベル調整器４５でレベル調整された信号は、高周波増幅器（利得増幅器）４６で増幅された後、例えば７０〜７７０ＭＨｚの周波数の信号を通過させるバンドパスフィルタ（ＢＰＦ）４７を介して出力端子４８より出力され、同軸ケーブルによりＴＶ受信機に送られる。
【００２５】
また、上記高周波増幅器４６の出力信号は、歪み検知回路５０へ入力される。この歪み検知回路５０は、例えば４０ＭＨｚの以下の信号を通過させるローパスフィルタ（ＬＰＦ）５１を備えている。このローパスフィルタ５１は、高周波増幅器４６で発生した歪み成分を取り出すためのもので、このローパスフィルタ５１により取り出された歪み成分は、４．５ＭＨｚのトラップ５２に入力される。このトラップ５２は、ＵＨＦアンテナ４１に加わるアナログ放送波による歪み成分、すなわちアナログ放送における映像搬送波と音声搬送波の４．５ＭＨｚの差成分歪みを除去し、デジタル放送信号の歪み成分のみを取り出して次段の検波器５３に出力する。この検波器５３は、トラップ５２から出力される歪み成分を検波して直流成分に変換し、信号レベル表示回路５４へ出力する。
【００２６】
上記信号レベル表示回路５４は、複数例えば５つのコンパレータ５５ａ〜５５ｅからなり、順次異なるレベルの信号、例えば３ｄＢずつアップした信号を検出するように設定されており、次段に設けられている例えば５段階表示の信号レベル表示部５６を駆動する。この信号レベル表示部５６は、表示素子として例えば５つのＬＥＤ５７ａ〜５７ｅを備え、信号レベル表示回路５４のコンパレータ５５ａ〜５５ｅによってそれぞれ表示駆動される。
【００２７】
上記のように構成された高周波増幅装置４２は、図５に示すように例えば住宅２の屋根の上に設置された支柱３に対し、ＵＨＦアンテナ４１と共に取付ける。そして、ＵＨＦアンテナ４１で受信された信号を同軸ケーブル３１ａを介して高周波増幅装置４２に入力し、この高周波増幅装置４２で増幅した信号を同軸ケーブル３２により、住宅２内に設置されているＴＶ受信機（図示せず）に送出する。
【００２８】
そして、上記ＵＨＦアンテナ４１の方向調整に際して高周波増幅装置４２を動作させると、図４に示したようにＵＨＦアンテナ４１で受信されたデジタル放送信号は、入力端子４３よりバンドパスフィルタ４４を介して信号レベル調整器４５に入力され、信号レベルが調整される。この信号レベル調整器４５でレベル調整された信号は、高周波増幅器４６で増幅された後、バンドパスフィルタ４７を介して取り出され、出力端子４８より上記同軸ケーブル３２（図５参照）を介して住宅２内に設置されているＴＶ受信機へ送られる。
【００２９】
上記高周波増幅器４６は、第１実施形態で示した衛星放送受信用の高周波増幅装置１２における高周波増幅器１６と同様に非直線歪によってＴＶ信号の帯域より低い周波数、例えば４０ＭＨｚ以下の帯域において歪み成分を発生する。
【００３０】
歪み検知回路４０は、上記高周波増幅器４６から出力される信号のうち、４０ＭＨｚ以下の歪成分をローパスフィルタ５１により取り出し、更にトラップ５２で、ＵＨＦアンテナ４１に加わるアナログ放送波による歪み成分、すなわちアナログ放送における映像搬送波と音声搬送波の４．５ＭＨｚの差成分歪みを除去し、デジタル放送信号の歪み成分のみを取り出して検波器５３に出力する。
【００３１】
検波器５３は、上記トラップ５２から出力されるデジタル放送信号の歪み成分を検波して直流成分に変換し、信号レベル表示回路５４へ出力する。この信号レベル表示回路５４は、検波器５３から出力される直流成分のレベルをコンパレータ５５ａ〜５５ｅで検出し、信号レベル表示部５６内の対応するＬＥＤ５７ａ〜５７ｅを表示駆動する。
【００３２】
作業者は、ＬＥＤ５７ａ〜５７ｅの点灯状態を見ながらＵＨＦアンテナ４１の方向を変え、ＬＥＤ５７ａ〜５７ｅの点灯数が最も多くなるように調整し、その位置でＵＨＦアンテナ４１の位置を固定する。  
上記高周波増幅装置４２は、ＵＨＦアンテナ４１の方向を調整した後、そのままブースタとして使用することができる。
【００３３】
上記のように信号レベル表示部５６を備えた高周波増幅装置４２を使用することにより、測定器やＴＶ受信機を使用する必要が無く、住宅２の屋根の上や高所であっても、ＵＨＦアンテナ４１の方向をきわめて容易に、かつ正確に調整でき、作業効率を向上することができる。また、ＵＨＦアンテナ４１で受信した信号を高周波増幅器４６で増幅した後、高周波増幅器４６で発生する歪み成分を歪み検知回路４０で検出し、その歪み成分の強弱からＵＨＦアンテナ４１の方向を調整するようにしているので、より細かな方向調整が可能である。
【００３４】
また、ＵＨＦ帯域に含まれるアナログ放送波による歪み成分である４．５ＭＨｚの信号をトラップ５２で除去することにより、アナログ放送及びデジタル放送が混在している地域においても、アナログ放送波の影響を受けずにデジタル放送に対してＵＨＦアンテナ４１の方向調整を確実に行なうことができる。
【００３５】
上記第１及び第２実施形態では、衛星放送受信用の高周波増幅装置１２と地上波デジタル放送受信用の高周波増幅装置４２をそれぞれ別個に設けた場合について示したが、図６に示すように１つの増幅装置筐体６０内に一緒に設けてもよい。この場合、高周波増幅装置１２の信号レベル表示部２５及び高周波増幅装置４２の信号レベル表示部５６は、例えば増幅装置筐体６０の前面部に位置させ、外部からＬＥＤの表示を確認できるようにする。
【００３６】
更に、上記増幅装置筐体６０内には、ＶＨＦ帯のアナログ放送受信用の高周波増幅装置６１を設けても良い。なお、アナログ放送受信用の高周波増幅装置６１においても、上記第１実施形態と同様に、高周波増幅器で発生する歪み成分を歪み検知回路により検出し、その歪み成分のレベルを信号レベル表示部で表示することが可能である。
【００３７】
上記増幅装置筐体６０は、住宅の屋根の上などにおいて、ＴＶ放送受信用のアンテナと共に設置し、ＢＳ・ＣＳアンテナ１１により受信した衛星放送信号をコンバータ（図示せず）により周波数変換して高周波増幅装置１２に入力し、ＵＨＦアンテナ４１により受信したデジタル放送信号を高周波増幅装置４２に入力し、ＶＨＦアンテナ６２により受信したアナログ放送信号を高周波増幅装置６１に入力する。そして、上記高周波増幅装置１２、４２、６１により増幅された信号を混合し、１本の同軸ケーブル３２によりＴＶ受信機６３のチューナ部６４に入力する。また、このチューナ部６４からは、同軸ケーブル３２を介して高周波増幅装置１２、４２、６１に動作電源、例えば直流電圧が供給される。
【００３８】
上記のように衛星放送受信用の高周波増幅装置１２及び地上波デジタル放送受信用の高周波増幅装置４２等を設けた増幅装置筐体６０を住宅の屋根の上などにアンテナと共に設置することにより、信号レベル表示部２５、５６の表示状態を確認しながらＢＳ・ＣＳアンテナ１１及びＵＨＦアンテナ４１の方向をそれぞれ調整することができる。
【００３９】
なお、上記第１及び第２実施形態では、信号レベル表示部２５、５６に５段階表示により信号レベルの強弱を表示するようにしたが、５段階以外の表示であっても良いことは勿論である。  
また、上記各実施形態では、ＬＥＤを用いて信号レベルの強弱を表示するようにしたが、ＬＥＤの他、音や光、振動等により信号レベルの強弱を表示するようにしても良い。
【図面の簡単な説明】
【００４０】
【図１】本発明の第１実施形態に係る高周波増幅装置の構成を示すブロック図である。
【図２】同実施形態による高周波増幅装置を使用してアンテナの方向を調整する場合の例を示す図である。
【図３】同実施形態において、高周波増幅器の入力信号と歪み成分との関係を示す図である。
【図４】本発明の第２実施形態に係る高周波増幅装置の構成を示すブロック図である。
【図５】同実施形態による高周波増幅装置を使用してアンテナの方向を調整する場合の例を示す図である。
【図６】第１及び第２実施形態に係る高周波増幅装置を１つの増幅装置筐体に設けた場合の設置例を示す図である。
【図７】従来における衛星受信用アンテナの方向を調整する場合の例を示す図である。
【符号の説明】
【００４１】
１…ＣＳ・ＢＳアンテナ、２…住宅、３…支柱、４…ＢＳチューナ、５…ＴＶ受信機、１１…ＢＳ・ＣＳアンテナ、１２…衛星放送受信用の高周波増幅装置、１３…入力端子、１４…バンドパスフィルタ（ＢＰＦ）、１５…信号レベル調整器、１６…高周波増幅器、１７…バンドパスフィルタ（ＢＰＦ）、１８…出力端子、２０…歪み検知回路、２１…バンドパスフィルタ（ＢＰＦ）、２２…検波器、２３…信号レベル表示回路、２４ａ〜２４ｅ…コンパレータ、２５…信号レベル表示部、２６ａ〜２６ｅ…ＬＥＤ、３１、３１ａ、３２…同軸ケーブル、４０…歪み検知回路、４１…ＵＨＦアンテナ、４２…地上波デジタル放送受信用の高周波増幅装置、４３…入力端子、４４…バンドパスフィルタ（ＢＰＦ）、４５…信号レベル調整器、４６…高周波増幅器、４７…バンドパスフィルタ（ＢＰＦ）、４８…出力端子、５０…歪み検知回路、５１…ローパスフィルタ（ＬＰＦ）、５２…トラップ、５３…検波器、５４…信号レベル表示回路、５５ａ〜５５ｅ…コンパレータ、５６…信号レベル表示部、５７ａ〜５７ｅ…ＬＥＤ、６０…増幅装置筐体、６１…アナログ放送受信用の高周波増幅装置、６２…ＶＨＦアンテナ、６３…ＴＶ受信機、６４…チューナ部。
【図１】
2005159671.tif 000003
【図２】
2005159671.tif 000004
【図３】
2005159671.tif 000005
【図４】
2005159671.tif 000006
【図５】
2005159671.tif 000007
【図６】
2005159671.tif 000008
【図７】
2005159671.tif 000009